(57)【要約】    【構成】  帰還巻線Ｎ２に大きな負電圧が発生すると、ＭＯＳトランジスタＴ４のゲートに負電圧の一部が印加されるので、ＭＯＳトランジスタＴ４はオンする。次に、ＭＯＳトランジスタＴ４のドレインとソースの間に内蔵されたダイオードＤ５に順方向電圧が印加されると、ダイオードＤ５の順電圧はＭＯＳトランジスタＴ４がオフのときに比べて低下する。このとき、検出トランジスタＴ３は、ダイオードＤ５の順電圧の変化を検出し、サイリスタＳＣＲ１をオンさせて、スイッチングトランジスタＴ１のゲート電圧をバイパスさせるので、スイッチングトランジスタＴ１は発振を停止する。    【効果】  負の過電圧の検出にＭＯＳトランジスタの内蔵ダイオードを利用しているので、温度変化に対する動作点の変化が少ない過電圧保護ができる。【選択図】  図１
2005033971.tif 000002
【特許請求の範囲】
【請求項１】
１次側に入力巻線と帰還巻線を有し２次側に出力巻線を有するコンバータトランスと、前記入力巻線に直列に接続されたスイッチングトランジスタと、前記スイッチングトランジスタの出力に接続された電流検出抵抗によって変換された電圧によりスイッチングトランジスタの制御信号をバイパスさせる制御トランジスタとを備えたスイッチング電源回路において、
前記帰還巻線に発生する負電圧を検出するＭＯＳトランジスタ、
前記ＭＯＳトランジスタに内蔵されるダイオードの順電圧の変化を検出する検出手段、
前記検出手段による検出結果に応じて前記スイッチングトランジスタの制御信号をバイパスさせるバイパス手段を備えることを特徴とする、スイッチング電源回路。
【請求項２】
前記検出手段はバイポーラトランジスタを含み、前記バイポーラトランジスタは前記ダイオードの順電圧の変化をコレクタ電流の変化として検出する、請求項１記載のスイッチング電源回路。
【請求項３】
前記ＭＯＳトランジスタが導通するゲート電圧を保持する電圧保持手段をさらに備える、請求項１または２記載のスイッチング電源回路。
【発明の詳細な説明】
【技術分野】
【０００１】
この発明は、スイッチング電源回路に関し、特にたとえばテレビジョン受像機の安定化電源回路に適用される、スイッチング電源回路に関する。
【背景技術】
【０００２】
従来のこの種のスイッチング電源回路の一例が、特許文献１に開示されている。この従来技術では、電源回路の故障により出力電圧が上昇した場合、コンバータトランスの帰還巻線から取り出された負電圧も比例して降下する。この負電圧がツェナダイオードによって決まるツェナ電圧（検出電圧）よりも小さくなると、バイポーラトランジスタがその負電圧を検出してオンし、スイッチングトランジスタのベース電流をバイパスする。その結果、スイッチングトランジスタは発振を停止するので、スイッチング電源回路の２次側の整流回路で取り出される整流電圧の上昇を抑えることができる。
【特許文献１】特開平８−２５６４７４号公報［Ｈ０２Ｍ  ３／２８，Ｈ０４Ｎ  ５／６３］
【発明の開示】
【発明が解決しようとする課題】
【０００３】
しかし、特許文献１の先行技術では、負電圧を検出するトランジスタはバイポーラトランジスタである。このバイポーラトランジスタは、ｈＦＥに依存する電流制御によって負電圧を検出するので、スイッチングトランジスタのオン期間を制限するスイッチング電源回路の動作点は、温度変化に対して大きく変動する。
【０００４】
それゆえに、この発明の主たる目的は、温度変化に対して動作点の安定した過電圧保護ができる、スイッチング電源回路を提供することである。
【課題を解決するための手段】
【０００５】
請求項１の発明は、１次側に入力巻線と帰還巻線を有し２次側に出力巻線を有するコンバータトランスと、入力巻線に直列に接続されたスイッチングトランジスタと、スイッチングトランジスタの出力に接続された電流検出抵抗によって変換された電圧によりスイッチングトランジスタの制御信号をバイパスさせる制御トランジスタとを備えたスイッチング電源回路において、帰還巻線に発生する負電圧を検出するＭＯＳトランジスタ、ＭＯＳトランジスタに内蔵されるダイオードの順電圧の変化を検出する検出手段、検出手段による検出結果に応じてスイッチングトランジスタの制御信号をバイパスさせるバイパス手段を備えることを特徴とする、スイッチング電源回路である。
【０００６】
請求項１の発明では、帰還巻線に負の過電圧が発生すると、ＭＯＳトランジスタのゲートに負電圧の一部が印加されるので、ＭＯＳトランジスタはオンする。ＭＯＳトランジスタのドレインとソースの間に内蔵されたダイオードに順方向電圧が印加されると、ダイオードの順電圧はＭＯＳトランジスタがオフのときに比べて低下する。このとき、検出手段は、ダイオードの順電圧の変化を検出し、バイパス手段の動作を制御する。すなわち、帰還巻線に負の過電圧が発生すると、ＭＯＳトランジスタはオンするので、ダイオードの順電圧は低下する。このとき、検出手段はバイパス手段をオンして、スイッチングトランジスタの制御信号をバイパスさせ、スイッチングトランジスタの発振を停止させる。一方、帰還巻線の負電圧が正常である場合は、ＭＯＳトランジスタはオフされるので、ダイオードの順電圧は大きくなる。このとき、検出手段はバイパス手段をオフするので、スイッチングトランジスタは発振を継続する。このように、帰還巻線に発生する負電圧を、ＭＯＳトランジスタのオン／オフ状態によって、内蔵されているダイオードの順電圧が変化することを利用して検出し、スイッチングトランジスタの発振を停止させたり、継続させたりする。この場合、大きな負電圧の検出にＭＯＳトランジスタを利用しているので、温度変化に対して、動作点の変化が少ない過電圧保護ができる。
【０００７】
請求項２の発明は、検出手段はバイポーラトランジスタを含み、バイポーラトランジスタはダイオードの順電圧の変化をコレクタ電流の変化として検出する、請求項１記載のスイッチング電源回路である。
【０００８】
請求項２の発明では、ＭＯＳトランジスタに内蔵されたダイオードの順電圧が、バイポーラトランジスタのベースとエミッタとの間に印加される。ＭＯＳトランジスタがオン状態のとき、ダイオードの順電圧は低下するので、バイポーラトランジスタはオフし、コレクタ電流は流れない。一方、ＭＯＳトランジスタがオフ状態のとき、ダイオードの順電圧は大きいので、バイポーラトランジスタはオンし、コレクタ電流が流れる。このように、バイポーラトランジスタは、ダイオードの順電圧の変化を、コレクタ電流の変化として検出する。この場合、ＭＯＳトランジスタの順電圧の変化を簡単な回路で検出することができる。
【０００９】
請求項３の発明は、ＭＯＳトランジスタが導通するゲート電圧を保持する電圧保持手段をさらに備える、請求項１または２記載のスイッチング電源回路である。
【００１０】
請求項３の発明では、ＭＯＳトランジスタのゲートに電圧保持手段が接続される。この電圧保持手段は、帰還巻線に発生した負の過電圧がＭＯＳトランジスタのゲートに印加され、ＭＯＳトランジスタがオンしたときの電圧を保持する。次に、帰還巻線に発生した正電圧が、内蔵されたダイオードに印加されると、電圧保持手段は保持している電圧をゲートに印加する。この結果、ＭＯＳトランジスタはオンするので、その内蔵ダイオードの順電圧は、オフしている場合に比べて小さくなる。この場合、負の過電圧の発生をＭＯＳトランジスタに内蔵されたダイオードの順電圧の変化に変換することができる。
【発明の効果】
【００１１】
この発明によれば、ＭＯＳトランジスタに内蔵されたダイオードの順電圧を利用して負電圧を検出するので、温度変化に対する動作点の変化が少ない過電圧保護ができる。
【００１２】
この発明の上述の目的，その他の目的，特徴および利点は、図面を参照して行う以下の実施例の詳細な説明から一層明らかとなろう。
【発明を実施するための最良の形態】
【００１３】
図１を参照して、この実施例のスイッチング電源回路１０は、コンバータトランス１２を含む。このコンバータトランス１２の１次側には、ＮチャネルＭＯＳトランジスタであるスイッチングトランジスタＴ１、入力巻線Ｎ１、帰還巻線Ｎ２、整流回路１６、起動回路２０、ドライブ回路２２、制御回路２４および過電圧保護回路２６が含まれる。
【００１４】
具体的には、交流電源１４が接続された整流回路１６の一方出力端は、入力巻線Ｎ１の一方端に接続される。整流回路１６の一方出力端と入力巻線Ｎ１の一方端との接続点には、起動抵抗Ｒ１の一方端および抵抗Ｒ２の一方端が接続される。起動抵抗Ｒ１の他方端は、スイッチングトランジスタＴ１のゲートおよび起動抵抗Ｒ４の一方端にそれぞれ接続される。起動抵抗Ｒ４の他方端は、スイッチングトランジスタＴ１のソースに接続される。抵抗Ｒ２の他方端は、キャパシタＣ１を介してスイッチングトランジスタＴ１のドレインに接続される。キャパシタＣ１とスイッチングトランジスタＴ１のドレインとの接続点には、入力巻線Ｎ１の他方端（始端）が接続される。また、整流回路１６の他方出力端は、帰還巻線Ｎ２の一方端（始端）に接続される。
【００１５】
起動抵抗Ｒ１と起動抵抗Ｒ４との接続点には、キャパシタＣ２の一方端およびＮＰＮバイポーラトランジスタである制御トランジスタＴ２のコレクタが接続される。キャパシタＣ２の他方端は、抵抗Ｒ３の一方端に接続される。抵抗Ｒ３の他方端は、帰還巻線Ｎ２の他方端に接続される。抵抗Ｒ３の他方端と帰還巻線Ｎ２の他方端との接続点には、ダイオードＤ１のアノード、ツェナダイオードＤＺ１のカソードがそれぞれ接続される。ダイオードＤ１のカソードは、キャパシタＣ３を介して、帰還巻線Ｎ２と整流回路１６の他方出力端との接続点に接続される。ツェナダイオードＤＺ１のアノードは、抵抗７を介して制御トランジスタＴ２のベースに接続される。キャパシタＣ３と帰還巻線Ｎ２の一方端との接続点には、抵抗Ｒ８の一方端、キャパシタＣ４の一方端および制御トランジスタＴ２のエミッタがそれぞれ接続される。抵抗Ｒ８の他方端とキャパシタＣ４の他方端は、それぞれ制御トランジスタＴ２のベースと抵抗Ｒ７との接続点に接続される。また、電流検出抵抗Ｒ９の一方端は、スイッチングトランジスタＴ１のソースにされ、他方端は、帰還巻線Ｎ２の一方端と整流回路１６の他方出力端との接続点に接続される。ダイオードＤ１のカソードとキャパシタＣ３の一方端の接続点に、フォトカプラ１８に設けられたフォトトランジスタＴＰ１のコレクタが接続される。フォトトランジスタＴＰ１のエミッタは、抵抗Ｒ５を介して、制御トランジスタＴ２のベースと抵抗Ｒ７との接続点に接続される。
【００１６】
ダイオードＤ１のアノードと帰還巻線Ｎ２の他方端との接続点に、ダイオードＤ２のカソードが接続され、ダイオードＤ２のアノードは、ツェナダイオードＤＺ２のアノードが接続される。ツェナダイオードＤＺ２のカソードは、抵抗Ｒ１５の一方端に接続され、抵抗Ｒ１５の他方端はＰチャネルＭＯＳトランジスタであるＭＯＳトランジスタＴ４のゲートに接続される。また、ダイオードＤ２のカソードと帰還巻線Ｎ２の他方端との接続点に、抵抗Ｒ１４の一方端が接続され、抵抗Ｒ１４の他方端はダイオードＤ３のアノードに接続される。ダイオードＤ３のカソードは、抵抗Ｒ１０の一方端および抵抗Ｒ１１の一方端にそれぞれ接続される。抵抗Ｒ１０の他方端は、ＮＰＮバイポーラトランジスタである検出トランジスタＴ３のベースおよびダイオードＤ４のアノードにそれぞれ接続される。ダイオードＤ４のカソードは、ＭＯＳトランジスタＴ４のドレインに接続される。トランジスタＴ４のソースは、電流検出抵抗Ｒ９の他方端に接続される。このトランジスタＴ４のドレインとソースとの間には、ドレイン側をアノードとし、ソース側をカソードとするダイオードＤ５が内蔵されている。
【００１７】
また、抵抗Ｒ１１の他方端は、検出トランジスタＴ３のコレクタおよびサイリスタＳＣＲ１のゲートにそれぞれ接続される。ＭＯＳトランジスタＴ４のソースと電流検出抵抗Ｒ９の他方端との接続点には、サイリスタＳＣＲ１のカソードが接続される。ＭＯＳトランジスタＴ４のソースとサイリスタＳＣＲ１のカソードとの接続点には、抵抗Ｒ１２の一方端、キャパシタＣ５の一方端および検出トランジスタＴ３のエミッタがそれぞれ接続される。また、抵抗Ｒ１２の他方端およびキャパシタＣ５の他方端は、それぞれ検出トランジスタＴ３のコレクタとサイリスタＳＣＲ１のゲートとの接続点に接続される。サイリスタＳＣＲ１のアノードは、起動抵抗Ｒ１とスイッチングトランジスタＴ１のゲートとの接続点に接続される。
【００１８】
このスイッチング電源回路の起動回路２０は、起動抵抗Ｒ１およびＲ４によって構成され、ドライブ回路２２は、抵抗Ｒ３およびキャパシタＣ２によって構成される。制御回路２４は、制御トランジスタＴ２、フォトトランジスタＴＰ１、ツェナダイオードＤＺ１、ダイオードＤ１、キャパシタＣ３およびＣ４、抵抗Ｒ５ないしＲ９によって構成される。過電圧保護回路２６は、検出トランジスタＴ３およびＴ４、サイリスタＳＣＲ１、ツェナダイオードＤＺ２、ダイオードＤ３およびＤ４、キャパシタＣ５およびＣ６、抵抗Ｒ１０ないしＲ１５によって構成される。
【００１９】
また、コンバータトランス１２の２次側は、出力巻線Ｎ３、出力巻線Ｎ４、整流回路２８、整流回路３２および出力電圧検出回路３０を含む。
【００２０】
具体的には、出力巻線Ｎ３の一方端（始端）には、ダイオードＤ６およびキャパシタＣ７が並列接続された並列回路の一方端が接続され、その並列回路の他方端には平滑キャパシタＣ８、抵抗Ｒ１６、Ｒ１７、およびＲ１８の一方端がそれぞれ接続される。これらのダイオードＤ６、キャパシタＣ７および平滑キャパシタＣ８によって、整流回路２８が形成される。また、出力巻線Ｎ３の他方端および平滑キャパシタＣ８の他方端は、接地面に接続される。抵抗Ｒ１６の他方端は、可変抵抗Ｒ１９および抵抗Ｒ２０を介して接地面に接続されるとともに、ＮＰＮバイポーラトランジスタであるトランジスタＴ５のベースに接続される。また、可変抵抗Ｒ１９の可変部もトランジスタＴ５のベースに接続される。抵抗Ｒ１７の他方端は、ツェナダイオードＤＺ３のカソードに接続され、ツェナダイオードＤＺ３のアノードは接地面に接続される。抵抗Ｒ１８の他方端は、抵抗Ｒ２１を介して接地面に接続されるとともに、フォトカプラ１８内のフォトダイオードＤＰ１のアノードに接続される。トランジスタＴ５のコレクタは、フォトダイオードＤＰ１のカソードに接続される。整流回路２８から出力された直流電圧は、端子Ｓ１を介して負荷（図示しない）に与えられる。なお、抵抗Ｒ１６ないしＲ２１、ツェナダイオードＤＺ３、フォトダイオードＤＰ１およびトランジスタＴ５によって、出力電圧検出回路３０が形成される。
【００２１】
また、出力巻線Ｎ４の一方端（始端）には、ダイオードＤ７と平滑キャパシタＣ９とからなる整流回路３２が接続される。また、出力巻線Ｎ４の他方端は、接地面に接続される。整流回路３２から出力された直流電圧は、端子Ｓ２を介して負荷（図示しない）に与えられる。なお、図１中の“・”は、巻線Ｎ１ないしＮ４の始端を示す。
【００２２】
スイッチング電源回路１０の整流回路１６に交流電源１４が接続されると、交流電圧は整流回路１６により整流および平滑化されて、直流電圧に変換される。整流回路１６から出力された直流電圧は、起動抵抗Ｒ１と起動抵抗Ｒ４とにより抵抗分割されて、スイッチングトランジスタＴ１のゲートに与えられるとともに、入力巻線Ｎ１にも与えられる。このため、スイッチングトランジスタＴ１はオンし、帰還巻線Ｎ２に電圧が誘起される。帰還巻線Ｎ２からの誘起電流は、ドライブ回路２２の抵抗Ｒ３およびキャパシタＣ２を介してスイッチングトランジスタＴ１のベースに正帰還される。つまり、スイッチングトランジスタＴ１は発振する。スイッチングトランジスタＴ１が発振すると、発振電流が入力巻線Ｎ１を流れ、入力巻線Ｎ１の巻数に比例して出力巻線Ｎ３および出力巻線Ｎ４に出力電圧が発生する。このスイッチング電源回路１０では、出力巻線Ｎ３は、入力巻線Ｎ１とは逆方向に巻かれており、出力巻線Ｎ４は入力巻線Ｎ１と同方向に巻かれている。
【００２３】
出力巻線Ｎ３に発生した出力電圧は、整流回路２８のダイオードＤ６および平滑コンデンサＣ８によって整流平滑化され、整流平滑化された直流電圧が出力電圧検出回路３０に与えられる。出力電圧検出回路３０では、可変抵抗Ｒ１９の可変部の電圧とツェナダイオードＤＺ３のツェナ電圧との差、すなわちトランジスタＴ５のベースとエミッタと間の電圧によって、トランジスタＴ５はオンまたはオフする。なお、キャパシタＣ７は、スイッチングトランジスタＴ１がオフして発振が停止した後に、残留している発振電流によって出力巻線Ｎ３に生じた直流電圧を除去するために設けられている。このキャパシタＣ７に充電された直流電圧は、平滑キャパシタＣ８を介して放電される。
【００２４】
たとえば、整流回路２８から出力される直流電圧が所定の範囲を超えて上昇した場合、可変抵抗Ｒ１９の可変部の電圧がツェナダイオードＤＺ３のツェナ電圧よりも大きくなり、トランジスタＴ５がオンする。その結果、トランジスタＴ５のコレクタ電流が増加し、フォトダイオードＤＰ１の発光量が増加する。フォトダイオードＤＰ１の発光量が増加すると、制御回路２４のフォトトランジスタＴＰ１のコレクタ電流が増加する。このコレクタ電流の増加により、制御トランジスタＴ２のベース電位が上昇する。また、帰還巻線Ｎ２で発生した鋸波電流が、電流検出抵抗Ｒ９によって鋸波電圧に変換される。変換された鋸波電圧は、抵抗Ｒ７によって制御トランジスタＴ２のベース電位に重畳される。つまり、制御トランジスタＴ２のベース電位は、鋸波電圧分だけ上昇する。この結果、制御トランジスタＴ２のオンするタイミングが早くなって、スイッチングトランジスタＴ１のゲート電圧をバイパスするので、スイッチングトランジスタＴ１はオフされる。つまり、スイッチングトランジスタＴ１のオン期間が短くなる。このため、整流回路２８から取り出される直流電圧は、低下して所定の範囲に戻る。
【００２５】
一方、整流回路２８から出力される直流電圧が所定の範囲よりも低下した場合、トランジスタＴ５のベースとエミッタとの間に順方向の電圧が発生しないので、トランジスタＴ５はオンしない。したがって、フォトカプラ１８内のフォトダイオードＤＰ１の発光量が減少するため、制御回路２４のフォトトランジスタＴＰ１のコレクタ電流も減少する。このコレクタ電流の減少により、制御トランジスタＴ２のベース電位は、制御トランジスタＴ２がオンするために必要な電位までは上昇せず、制御トランジスタＴ２はオフする。このため、制御トランジスタＴ２は、スイッチングトランジスタＴ１のゲート電圧をバイパスしないので、スイッチングトランジスタＴ１はオフされない。つまり、スイッチングトランジスタＴ１のオン期間が長くなり、整流回路２８で取り出される直流電圧の電圧値は上昇して所定の範囲に戻る。このように、整流回路２８から出力される直流電圧が所定の範囲内に保たれるように、出力電圧検出回路３０および制御回路２４は動作する。
【００２６】
次に、過電圧保護回路２６の動作について説明する。上述のように、制御回路２４および出力電圧検出回路３０が正常に動作しているとき、スイッチングトランジスタＴ１がオフしたことにより帰還巻線Ｎ２に発生する負電圧は、ツェナダイオードＤＺ２のツェナ電位とトランジスタＴ４の閾値電圧（ゲート・ソースオン電圧）とを加えた電位よりも高くなるように設定されている。このため、ツェナダイオードＤＺ２がツェナ電位でブレークダウンしても、ＰチャネルＭＯＳトランジスタであるＭＯＳトランジスタＴ４のゲートにかかる電圧は閾値電圧よりも高くなり、ＭＯＳトランジスタＴ４はオフ状態となる。このとき、ゲートにかかる電圧は、キャパシタＣ６に保持される。次に、スイッチングトランジスタＴ１がオンしたとき、帰還巻線Ｎ２に正電圧が発生する。この正電圧は、ダイオードＤ３を介して、ダイオードＤ４と、ＭＯＳトランジスタＴ４の内蔵ダイオードＤ５とに順電圧として印加される。このとき、ＭＯＳトランジスタＴ４のゲートには、キャパシタＣ６に保持されている電圧が印加されるので、ＭＯＳトランジスタＴ４はオフ状態である。検出トランジスタＴ３のベースとエミッタとの間には、ダイオードＤ４およびＤ５の順電圧が印加されるので、検出トランジスタＴ３はオン状態となる。つまり、検出トランジスタＴ３のコレクタからエミッタに電流が流れて、サイリスタＳＣＲ１のゲート電圧をバイパスするので、サイリスタＳＣＲ１はオフ状態となる。このため、スイッチングトランジスタＴ１のゲート電圧はバイパスされず、スイッチングトランジスタＴ１は発振を継続する。このように、制御回路２４および出力電圧検出回路３０が正常に動作しているとき、過電圧保護回路２６は動作しない。
【００２７】
しかし、制御回路２４または出力電圧検出回路３０の故障により、整流回路２８からの出力電圧が所定の範囲を超えて上昇した場合、制御回路２４および出力電圧検出回路３０によって出力電圧を所定の範囲内におさまるように制御することはできない。このときの過電圧保護回路２６の動作について、説明する。帰還巻線Ｎ２に発生する負電圧も、整流回路２８から出力される直流電圧に比例して低下する。そして、帰還巻線Ｎ２の負電圧が、ツェナダイオードＤＺ２のツェナ電位とトランジスタＴ４の閾値電圧とを加えた電圧よりも低下すると、ツェナダイオードＤＺ２はツェナ電位でブレークダウンし、ＰチャネルであるＭＯＳトランジスタＴ４のゲートにかかる電圧は閾値電圧よりも低くなる。このため、ＭＯＳトランジスタＴ４はオン状態となる。このときのゲート電圧はキャパシタＣ６に保持される。次に、スイッチングトランジスタＴ１がオンしたとき、帰還巻線Ｎ２に正電圧が発生する。この正電圧は、ダイオードＤ３を介して、ダイオードＤ４およびＭＯＳトランジスタＴ４の内蔵ダイオードＤ５の順電圧として印加される。このとき、ＭＯＳトランジスタＴ４のゲートにはキャパシタＣ６に保持されたゲート電圧が印加されるので、ＭＯＳトランジスタＴ４はオン状態を維持している。このとき、ＭＯＳトランジスタＴ４の内蔵ダイオードＤ５の順電圧は、オフ状態のときの順電圧よりも大きく低下する。このため、検出トランジスタＴ３のベースとエミッタとの間の電圧も低下し、検出トランジスタＴ３はオフ状態になる。したがって、帰還巻線Ｎ２の負電圧は、サイリスタＳＣＲ１のゲートに印加されて、サイリスタＳＣＲ１はオン状態となり、スイッチングトランジスタＴ１のゲート電圧をバイパスする。その結果、スイッチングトランジスタＴ１はオフ状態となり、発振を停止する。このようにして、制御回路２４または出力電圧検出回路３０が故障しても、過電圧保護回路によって出力電圧が所定の範囲内におさまるように制御することができる。
【００２８】
ダイオードＤ２は、トランジスタＴ４のゲートに正電圧がかからないようにするためのものであり、ダイオードＤ３はダイオードＤ４および内蔵ダイオードＤ５に順電圧がかかるようにするためのものである。また、キャパシタＣ５および抵抗Ｒ１２は、サイリスタＳＣＲ１の誤動作を防止するためのものである。抵抗Ｒ１０は、ダイオードＤ４および内蔵ダイオードＤ５に順電圧が印加された場合でも、これらのダイオードに電流がほとんど流れないようにするための抵抗である。
【００２９】
なお、この実施例では、スイッチングトランジスタＴ１として、ＭＯＳトランジスタを用いた場合について説明した。しかし、ＭＯＳトランジスタのかわりにバイポーラトランジスタを用いてもよい。この場合、サイリスタＳＣＲ１がオンすることによってバイポーラトランジスタのベース電流はバイパスされる。この結果、バイポーラトランジスタはオフ状態となり、ＭＯＳトランジスタの場合と同様に発振を停止する。
【図面の簡単な説明】
【００３０】
【図１】この発明の一実施例を示す回路図である。
【符号の説明】
【００３１】
１０…スイッチング電源回路
１２…コンバータトランス
１６、２８…整流回路
１８…フォトカプラ
２０…起動回路
２２…ドライブ回路
２４…制御回路
２６…過電圧保護回路
３０…出力電圧検出回路
【図１】
2005033971.tif 000003